(57)【要約】【課題】  携帯性とボンベ交換の容易性などの機能を維持しつつ、高湿度環境下でも使用可能なキャリングケースを提供する。【解決手段】  酸素ボンベから流量調整器、カニューラを介して使用者に酸素を供給する携帯型酸素ボンベシステムを収納するキャリングケースにおいて、カニューラの取出口を兼ねる筒状構造体を備え、該筒状構造体の上部及び下部に絞り手段を備えることを特徴とする、携帯型酸素ボンベシステム用キャリングケース。【選択図】  図１
2007105384.tif 000002
【特許請求の範囲】
【請求項１】
酸素ボンベから流量調整器、カニューラを介して使用者に酸素を供給する携帯型酸素ボンベシステムを収納する携帯型酸素ボンベ用キャリングバッグであって、
該バッグの底部は収納される前記酸素ボンベの容量にあわせて前記バッグの長手方向の長さが可変できるようにしたことを特徴とする携帯型酸素ボンベ用キャリングバッグ。
【請求項２】
請求項１の携帯型酸素ボンベ用キャリングバッグとその専用カートからなることを特徴とする携帯型酸素ボンベ用キャリングバッグシステム。  
【発明の詳細な説明】
【技術分野】
【０００１】
本発明は、本発明は医療用の携帯型酸素ボンベ用キャリングバッグ及びそれを備えたシステムに関する。更に詳細には、患者のＱＯＬを向上させるものであり、医療用酸素ボンベの大きさによらず携帯性を維持した携帯型酸素ボンベ用キャリングバッグ及びそれを備えたシステムに関するものである。
【背景技術】
【０００２】
近年、喘息や肺気腫、慢性気管支炎等の呼吸器系疾患に苦しむ患者が増加する傾向にあり、その最も効果的な治療法の一つとして酸素吸入療法がある。かかる酸素療法に用いられる酸素源としては、空気中から酸素濃縮空気を直接分離する酸素濃縮装置が開発され、使用時の利便性、保守管理の容易さから、在宅における据置型の酸素供給装置として次第に普及するようになってきている。
【０００３】
在宅時には、患者は空気中の酸素を分離し約９０％の濃度の酸素濃縮空気を１〜５Ｌ／分発生する圧力変動吸着型酸素濃縮装置を使用し、鼻カニューラなどの吸入用具を用い酸素吸入を行っている。一方、患者が通院や買物等で外出する際には、酸素源として携帯用の軽量酸素ボンベを使用し、ボンベからカニューラ等の酸素供給チューブを用いて酸素吸入をしながら外出し、その行動範囲を広げている。酸素ボンベには当然容量が限られ、使用時間の延長が求められ、患者の吸入時のみに酸素ガスを供給し、呼気時には供給をストップするデマンドレギュレーターが用いられている。
【０００４】
外出時には、酸素ボンベ用キャリングバッグに携帯型の小型酸素ボンベとデマンドレギュレーターを入れて肩にかけて持ったり、かかる酸素ボンベ用キャリングバッグを専用のカートに載せ、カニューラを通して酸素を吸入しながら移動している。このように使用されるキャリングバッグの使い勝手を改善した携帯型酸素ボンベ用キャリングバッグが提案されている(特許文献１)。
【特許文献１】特開２００２−２１００１３
【発明の開示】
【発明が解決しようとする課題】
【０００５】
しかしながら、酸素ボンベの容量に応じた酸素ボンベ用キャリングバッグではなく、酸素ボンベのメーカー毎の外径サイズの差異に応じて適用できるものではなく、患者にとって必ずしも使い勝手のよいものではなかった。
【０００６】
本発明は、従来の問題点に鑑みてなされたもので、在宅酸素療法を行っている患者にとって使い勝手のよい携帯型酸素ボンベ用キャリングバッグ及びそれを備えたシステムを提供するものである。
【課題を解決するための手段】
【０００７】
上記目的を達成するため、本発明による携帯型酸素ボンベ用キャリングバッグは、酸素ボンベから流量調整器、カニューラを介して使用者に酸素を供給する携帯型酸素ボンベシステムを収納する携帯型酸素ボンベ用キャリングバッグであって、バッグの底部は収納される酸素ボンベの容量に合せてバッグの長手方向の長さが可変できるようにしたことを特徴とする。また、前記携帯型酸素ボンベ用キャリングバッグと専用カートからなるシステムであることを特徴とする。
【発明の効果】
【０００８】
本発明により在宅酸素療法を行っている患者にとって使い勝手がよくなり、携帯用酸素ボンベの使用可能範囲が広がり、患者のADL/QOLがさらに向上することとなる。
【発明を実施するための最良の形態】
【０００９】
以下、図面を参照して、本発明に係る実施形態について説明する。なお、本発明は、この実施例に限定されるものではない。
【００１０】
図１は、本発明の携帯型酸素ボンベ用キャリングバッグと専用カートからなるシステムを示しものである。図１（ａ）は、携帯型酸素ボンベ用キャリングバッグ１００を専用カート２０に装着した状態を示す前方からの外観斜視図、図１（ｂ）は、樹脂製のファスナーによる開閉部１７ａを開いた状態を示す外観斜視図である。図１（ｃ）は、携帯型酸素ボンベ用キャリングバッグ１００の背面図とリュック用ストラップ９を示す図、図１（ｄ）は、携帯型酸素ボンベ用キャリングバッグ１００を専用カート２０に装着した状態を示す背面からの図である。
【００１１】
携帯型酸素ボンベ用キャリングバッグ１００は、材質は防水性を維持できることが重要であり、ナイロン、ポリエステル、ビニール、またはアクリル防水コーティング又はポリウレタン防水コーティングを施した生地を使用するのが好ましく用いられる。携帯型酸素ボンベ用キャリングバッグ１００は、その上部に取っ手１、酸素残量の確認ができる開閉可能なカバー２ａを備えた小窓２が設けられている。小窓２はカバー２ａを面ファスナーにより、閉じた状態で防滴構造となっている。カバー２ａを閉じた状態でも酸素残量の確認ができるよう、カバー２ａは透明性のポリエステル、ビニール、またはアクリルなどで形成されている。
【００１２】
また、取り外したクッション１６（後述）などを収納するためのホケット３、鼻カヌニューレ１９を挿入するために左右に２ケ設けられたカニューラ挿入用孔５、取り扱い説明書などの文書類を入れるために左右に設けられたサイドポケット６、ボンベの種類・容量にあわせて、携帯型酸素ボンベ用キャリングバッグ１００の長手方向の長さを変えるためのファスナー７が設けられている。ファスナー７を閉じると携帯型酸素ボンベ用キャリングバッグ１００の長手方向の長さが短くなり、１．１Ｌの酸素ボンベに適用でき、ファスナー７を開くと携帯型酸素ボンベ用キャリングバッグ１００の長手方向の長さが長くなり、２．０Ｌの酸素ボンベに適用できる。図１の状態は、ファスナー７を開いた状態を示している。
【００１３】
さらに、患者の使い勝手を向上するために様々な工夫がされている。携帯型酸素ボンベ用キャリングバッグ１００の内部には、内部ポケット１０を設け、呼吸同調器（不図示）を収納可能にしている。呼吸同調機器と共働して携帯型酸素ボンベを動作すれば、より効率よく酸素供給ができる。
【００１４】
また、ＩＤカード，名詞などの収納部１２を設け、緊急時に連絡先と連絡可能になっている。８は、リユックサックとして使用する場合のリュック用ストラップ９を取り付けるためのリングである。１１は、リュック用ストラップ９を収納するための係止部で左右２ケ設けられている。
【００１５】
１７は開口部で、ファスナー１７ａを開くことで開口し、携帯型酸素ボンベ３０の交換を行なう。１４は予備パッキン入れで、携帯型酸素ボンベ３０の減圧弁（不図示）の交換用または予備パッキンを収納するようにしている。また、付属品として、ボンベクッション１６も備えている。携帯型酸素ボンベ３０のサイズに応じて使用し、携帯型酸素ボンベ３０が携帯型酸素ボンベ用キャリングバッグ１００の内部でガタつきがなくなるようになる。また、専用カート２０に携帯型酸素ボンベ用キャリングバッグ１００を確実に固定するために、カート取付用ベルト１５も付属品として備えられている。
【００１６】
専用カート２０にも、患者の使い勝っ手を向上するための工夫がなされている。専用カート２０の取っ手２４ａの高さを４段階調整可能にするための高さ調節ボタン２４、鼻カニューレ１９を係止するためのフック１３を備えている。こうして、そのままリュックとして、また専用カートに取り付けて２通りに使用できる。
【図面の簡単な説明】
【００１７】
【図１】本発明の携帯型酸素ボンベ用キャリングバッグ及びそれを備えたシステムの実施例を示す外観図である。
【符号の説明】
【００１８】
１・・・取っ手、２・・・小窓、３・・・ポケット、６・・・サイドポケット、７・・・ファスナー、２０・・・専用カート、３０・・・ボンベ、１００・・・携帯型酸素ボンベ用キャリングバッグ
【図１】
2007105384.tif 000003